(57)【要約】【課題】第２キャビネットに一体に成形した１つのシール部材で正面側及び背面側の複数箇所の封止を確実に行えるようにして部品点数及び組立工数を削減しながら、コンパクトな電子機器を得る。【解決手段】正面側キャビネット３（第１キャビネット）の背面側を背面側キャビネット４（第２キャビネット）で覆い、この背面側キャビネット４の背面側を電池蓋５（第３キャビネット）で覆う。背面側キャビネット４に、その正面側で正面側キャビネット３に当接して正面側キャビネット３と背面側キャビネット４との間を封止する正面側シール部１１と、この正面側シール部１１に連続し、背面側で電池蓋５に当接して電池蓋５と背面側キャビネット４との間を封止する背面側シール部１２とを有するシール部材１０を一体に設ける。【選択図】図１
2013090117.tif 000002
【特許請求の範囲】
【請求項１】
第１キャビネットと、
上記第１キャビネットの背面側を覆う第２キャビネットと、
上記第２キャビネットの背面側を覆う第３キャビネットと、
上記第２キャビネットに一体に設けられ、該第２キャビネットの正面側で上記第１キャビネットに当接して該第１キャビネットと該第２キャビネットとの間を封止する正面側シール部及び該正面側シール部に連続し、上記第２キャビネットの背面側で上記第３キャビネットに当接して該第３キャビネットと該第２キャビネットとの間を封止する背面側シール部を有するシール部材とを備えている
ことを特徴とする電子機器。
【請求項２】
請求項１に記載の電子機器において、
上記正面側シール部と、上記背面側シール部とは、上記第２キャビネットに設けた連続形成用貫通孔で連続して形成されている
ことを特徴とする電子機器。
【請求項３】
請求項１又は２に記載の電子機器において、
上記第２キャビネットの正面側には、基板が装着され、
上記連続形成用貫通孔は、上記第２キャビネットの背面側に取り付けられる取付部品と、上記基板とを電気的に接続するための貫通孔を含む
ことを特徴とする電子機器。
【請求項４】
請求項３に記載の電子機器において、
上記取付部品は、アンテナであり、該アンテナの接点が上記貫通孔を通って上記基板に接続されるようになっており、
上記シール部材は、上記貫通孔周縁全体を覆い、上記取付部品と上記貫通孔周縁との間を封止している
ことを特徴とする電子機器。
【請求項５】
請求項１乃至４のいずれか１つに記載の電子機器において、
上記正面側シール部は、上記第１キャビネットと上記第２キャビネットとを締結する締結部材を挿通させる挿通孔周縁を覆い、該挿通孔を通って水が上記第１キャビネット側へ流れ込むのを防止している
ことを特徴とする電子機器。
【請求項６】
請求項１乃至５のいずれか１つに記載の電子機器において、
上記第１キャビネットは、正面側に表示部が装着されると共に、背面側に充電池が装着される正面側キャビネットであり、
上記第２キャビネットは、上記正面側キャビネットの背面を覆うと共に、上記充電池を囲む充電池用開口が形成された背面側キャビネットであり、
上記第３キャビネットは、上記充電池用開口から露出する上記充電池を覆う電池蓋であり、
上記背面側シール部は、上記充電池用開口周縁を覆っている
ことを特徴とする電子機器。
【発明の詳細な説明】
【技術分野】
【０００１】
本発明は、複数のキャビネット間を封止する防水機能を有する電子機器に関するものである。
【背景技術】
【０００２】
従来より、結合及び分離可能な第一及び第二筐体からなる電子機器の筐体において、第一筐体の周縁に設けた溝に防水パッキンを嵌め込んで、第一筐体と第二筐体との間を防水することが行われている（例えば、特許文献１参照）。
【０００３】
また、特許文献２のように、装置本体と、この装置本体に着脱自在に構成される充電池と、この充電池と装置本体との間に設けられるとともに、充電池の外周とほぼ同形状の環状部と、この環状部に所定の間隔を隔てて一体的に形成された係止舌片とからなる弾性を有する防水部材とを備えた携帯型電子機器が知られている。この携帯型電子機器では、充電池を覆う電池蓋用に専用の防水部材を必要としている。
【先行技術文献】
【特許文献】
【０００４】
【特許文献１】特開平８−１３０３８２号公報
【特許文献２】特開平９−４７１５号公報
【発明の概要】
【発明が解決しようとする課題】
【０００５】
しかしながら、特許文献１のように筐体の周縁に溝を設け、その溝に防水パッキンを嵌め込む構造では、溝を設けるための幅が必要となり、電子機器のサイズが大きくなってしまう。また、溝に防水パッキンを捩れることなく嵌め込むには手間がかかる。
【０００６】
さらには、特許文献１のような第一筐体及び第二筐体だけでなく、特許文献２のような電池蓋を備える電子機器では、第一筐体と第二筐体との間及び第二筐体と電池蓋との間でそれぞれ別々のシール部材を備える必要があり、部品点数が増えると共に、組付工数が増えるという問題があった。
【０００７】
本発明は、かかる点に鑑みてなされたものであり、その目的とするところは、一体に成形した１つのシール部材で複数箇所の封止を確実に行えるようにして部品点数及び組立工数を削減しながら、コンパクトな電子機器が得られるようにすることにある。
【課題を解決するための手段】
【０００８】
上記の目的を達成するために、この発明では、第２キャビネットの正面側及び背面側を封止可能な封止部材を第２キャビネットと一体に形成するようにした。
【０００９】
具体的には、第１の発明の電子機器は、
第１キャビネットと、
上記第１キャビネットの背面側を覆う第２キャビネットと、
上記第２キャビネットの背面側を覆う第３キャビネットと、
上記第２キャビネットに一体に設けられ、該第２キャビネットの正面側で上記第１キャビネットに当接して該第１キャビネットと該第２キャビネットとの間を封止する正面側シール部及び該正面側シール部に連続し、上記第２キャビネットの背面側で上記第３キャビネットに当接して該第３キャビネットと該第２キャビネットとの間を封止する背面側シール部を有するシール部材とを備えている。
【００１０】
上記の構成によると、シール部材を第２キャビネットに一体に設けているので、従来のような防水パッキンを溝に嵌め込む場合に比べて省スペースが図られると共に、面倒なシール部材の組付が不要となる。また、複雑な形状のシール部材でも成形できて防水機能が格段に向上すると共に、正面側シール部と背面側シール部とが連続して一体に成形されているので、部品点数が減る上、シール部材の組付手間の削減効果が倍増する。
【００１１】
第２の発明では、第１の発明において、
上記正面側シール部と、上記背面側シール部とは、上記第２キャビネットに設けた連続形成用貫通孔で連続して形成されている。
【００１２】
上記の構成によると、連続形成用貫通孔を通して溶融したシール部材を一方側から他方側へ充填させることができるので、一体成形が極めて容易となる。
【００１３】
第３の発明では、第１又は第２の発明において、
上記第２キャビネットの正面側には、基板が装着され、
上記連続形成用貫通孔は、上記第２キャビネットの背面側に取り付けられる取付部品と、上記基板とを電気的に接続するための貫通孔を含む。
【００１４】
上記の構成によると、第２キャビネットの背面側に基板に接続するための取付部品を取り付ける場合でも、１つの防水部材で、その接続用の貫通孔の周縁も封止できるので、部品点数が減ると共に、防水効果が向上する。
【００１５】
第４の発明では、第３の発明において、
上記取付部品は、アンテナであり、該アンテナの接点が上記貫通孔を通って上記基板に接続されるようになっており、
上記シール部材は、上記貫通孔周縁全体を覆い、上記取付部品と上記貫通孔周縁との間を封止している。
【００１６】
上記の構成によると、アンテナは、できるだけ筐体の外側に設ける必要があり、基板から離さなければならない場合でも、シール部材が貫通孔周縁全体を覆っているので、取付部品と貫通孔周縁との間が簡単且つ確実に封止される。
【００１７】
第５の発明では、第１乃至第４のいずれか１つの発明において、
上記正面側シール部は、上記第１キャビネットと上記第２キャビネットとを締結する締結部材を挿通させる挿通孔周縁を覆い、該挿通孔を通って水が上記第１キャビネット側へ流れ込むのを防止している。
【００１８】
上記の構成によると、従来のように締結部材の頭部にＯリングを取り付けても防水できない頭部の反対側の挿通孔周縁もシール部材で覆うことができるので、確実に防水できると共に、Ｏリングも不要となる。
【００１９】
第６の発明では、第１乃至第５のいずれか１つの発明において、
上記第１キャビネットは、正面側に表示部が装着されると共に、背面側に充電池が装着される正面側キャビネットであり、
上記第２キャビネットは、上記正面側キャビネットの背面を覆うと共に、上記充電池を囲む充電池用開口が形成された背面側キャビネットであり、
上記第３キャビネットは、上記充電池用開口から露出する上記充電池を覆う電池蓋であり、
上記背面側シール部は、上記充電池用開口周縁を覆っている。
【００２０】
上記の構成によると、１つのシール部材で、通常分解することのない正面側キャビネットと背面側キャビネットとの間だけでなく、厚さのある充電池を収容するために必要な充電池用開口と電池蓋との間も簡単且つ確実に封止することができる。
【発明の効果】
【００２１】
以上説明したように、本発明によれば、第２キャビネットに一体に成形した１つのシール部材で正面側及び背面側の複数箇所の封止を確実に行えるようにして部品点数及び組立工数を削減しながら、コンパクトな電子機器を得ることができる。
【図面の簡単な説明】
【００２２】
【図１】本実施形態の携帯電話機にかかる図８のＩ−Ｉ線拡大断面図である。
【図２】携帯電話機を正面側から見た斜視図である。
【図３】携帯電話機を背面側から見た斜視図である。
【図４】携帯電話機の電池蓋及びアンテナ部品を分解した斜視図である。
【図５】背面側キャビネットを正面側から見た斜視図である。
【図６】背面側キャビネットを背面側から見た斜視図である。
【図７】蓋部材の正面側を示す斜視図である。
【図８】携帯電話機の正面図である。
【図９】図８のIX−IX線拡大断面図である。
【図１０】図８のＸ−Ｘ線拡大断面図である。
【図１１】アンテナ部品を正面側から見た拡大斜視図である。
【発明を実施するための形態】
【００２３】
以下、本発明の実施形態を図面に基づいて説明する。
【００２４】
図２〜図４は、本発明の実施形態の電子機器としての携帯電話機１を示し、この携帯電話機１は、表面側にタッチパネルを有する表示部２が設けられている。携帯電話機１は、表示部２を表面側に内蔵する第１キャビネットとしての正面側キャビネット３と、この正面側キャビネット３の背面側を覆う第２キャビネットとしての背面側キャビネット４と、この背面側キャビネット４の背面側を覆う第３キャビネットとしての電池蓋５とを備えている。これら正面側キャビネット３と背面側キャビネット４と電池蓋５とは、例えばそれぞれガラス強化繊維を含むポリアミド樹脂などの樹脂成形品よりなる。
【００２５】
図４に示すように、電池蓋５を取り外すと、背面側キャビネット４の背面には、充電池６と、取付部材としてのアンテナ７とが露出している。なお、図２に示すように、携帯電話機１の下端には、３つの操作ボタン８が配置され、その周囲が装飾板９で覆われている。
【００２６】
そして、背面側キャビネット４には、シール部材１０が一体に設けられている。シール部材１０は、図５にハッチングで示すように、背面側キャビネット４の正面側で正面側キャビネット３に当接して正面側キャビネット３と背面側キャビネット４との間を封止するように、背面側キャビネット４の正面側周縁にそって一体形成された正面側シール部１１を備えている。また、図６にハッチングで示すように、シール部材１０は、背面側キャビネット４の充電池６を収容するための充電池用開口４ａの背面側周縁に、電池蓋５の正面側に略矩形板状に立設した枠部５ａ（図７に示す）の外周面に当接して電池蓋５と背面側キャビネット４との間を封止する背面側シール部１２を備えている。
【００２７】
詳しくは図示しないが、このシール部材１０は、例えば、成形後の背面側キャビネット４を射出成形型に嵌め込み、背面側に設けた複数の円形貫通孔よりなるゲート１３から、溶融したシリコン等の、流動性が高くて背面側キャビネット４と接着性のよい材料を充填することで、正面側シール部１１と背面側シール部１２とを一度に連続して一体成形している。シール部材１０と背面側キャビネット４との接着性をよくするために、背面側キャビネット４におけるシール部材１０の接着部分にプライマリーを塗布してもよい。
【００２８】
この一体成形を確実にするために、図１、図５及び図９に示すように、背面側キャビネット４には、矩形状などの複数の連続形成用貫通孔１４が貫通形成されている。正面側からゲート１３を通じて射出されたシリコン等の溶融材料が、この連続形成用貫通孔１４を通って確実に正面側へも流れ込むので、正面側シール部１１と背面側シール部１２とが連続して形成されるようになっている。
【００２９】
図９及び図１０に示すように、背面側キャビネット４の正面側（厳密には、正面側キャビネット３の背面側）には、基板１５が装着されている。一方、図１１に示すように、アンテナ７は、樹脂成形品本体７ａの外周に金属製の受信部７ｂが形成され、その正面側には、基板１５に電気的に接続するための一対の接点７ｃが設けられている。
【００３０】
図９及び図１０に示す連続形成用貫通孔１４は、このアンテナ７と基板１５とを電気的に接続するための貫通孔の役割を果たしている。この連続形成用貫通孔１４の正面側及び背面側を含む周縁全体がシール部材１０によって覆われている。
【００３１】
また図１０に示すように、正面側シール部１１は、正面側キャビネット３と背面側キャビネット４とを締結する締結部材としてのビス１６を挿通させる挿通孔１７の正面側周縁を覆い、挿通孔１７を通って水が正面側キャビネット３側へ流れ込むのを防止している。
【００３２】
このように、シール部材１０を背面側キャビネット４に一体に設けているので、従来のような防水パッキンを溝に嵌め込む場合に比べて省スペースが図られると共に、面倒なシール部材１０の組付が不要となる。また、外周に沿う環状部分だけでなく、貫通孔周縁などの複雑な形状のシール部材１０でも成形できて防水機能が格段に向上すると共に、正面側シール部１１と背面側シール部１２とが連続して一体に成形されているので、部品点数が減る上、シール部材１０の組付手間の削減効果が倍増する。
【００３３】
また、ゲート１３を通して溶融したシール部材１０を射出したときに、連続形成用貫通孔１４を通して溶融したシール部材１０を背面側から正面側へ充填させることができるので、一体成形が極めて容易である。
【００３４】
また、アンテナ７をできるだけ背面側キャビネット３の外側に設ける必要があり、基板１５から離さなければならないような場合でも、シール部材１０が接続用の連続形成用貫通孔１４の周縁全体を覆っているので、アンテナ７と連続形成用貫通孔１４周縁との間が簡単且つ確実に封止される。
【００３５】
また、１つのシール部材１０で、通常分解することのない正面側キャビネット３と背面側キャビネット４との間だけでなく、厚さのある充電池６を収容するために必要な充電池用開口４ａの周縁を封止して電池蓋５と背面側キャビネット４との間も簡単且つ確実に封止することができる。
【００３６】
さらに、従来のようにビス１６の頭部にＯリングを取り付けても防水できない頭部と反対側（正面側）の挿通孔１７周縁もシール部材１０で覆うことができるので、確実に防水できると共に、Ｏリングも不要となる。
【００３７】
したがって、本実施形態にかかる携帯電話機１によると、背面側キャビネット４に一体に成形した１つのシール部材１０で正面側及び背面側の複数箇所の封止を確実に行えるようにして部品点数及び組立工数を削減しながら、コンパクトな携帯電話機１を得ることができる。
【００３８】
（その他の実施形態）
本発明は、上記実施形態について、以下のような構成としてもよい。
【００３９】
すなわち、上記実施形態では、シール部材１０による防水機能を中心に説明したが、シリコン等よりなるシール部材１０により、防水機能だけでなく、防塵及び防振効果が発揮される。
【００４０】
上記実施形態では、第１〜第３キャビネットを携帯電話機１の筐体を構成するキャビネットとしたが、ＰＨＳ（Personal Handy-phone System ）、ＰＤＡ(Personal Digital Assistant)、スマートフォン、パソコン、モバイルツール、電子辞書、電卓、ゲーム機等の携帯端末だけでなく、デスクトップパソコン、ＡＶ機器等の防水、防塵又は防振効果を発揮できる電子機器を構成するキャビネットであってもよい。
【００４１】
上記実施形態では、取付部材は、アンテナ７としたが、特にこれに限定されず、背面側キャビネット３を貫通する貫通孔を通過する部品であれば特に限定されない。
【００４２】
なお、以上の実施形態は、本質的に好ましい例示であって、本発明、その適用物や用途の範囲を制限することを意図するものではない。
【符号の説明】
【００４３】
１      携帯電話機（電子機器）
２      表示部
３      正面側キャビネット（第１キャビネット）
４      背面側キャビネット（第２キャビネット）
４ａ    充電池用開口
５      電池蓋（第３キャビネット）
５ａ    枠部
６      充電池
７      アンテナ（取付部品）
７ａ    接点
１０      シール部材
１１      正面側シール部
１２      背面側シール部
１３      ゲート
１４      連続形成用貫通孔
１５      基板
１６      ビス
１７      挿通孔
【図１】
2013090117.tif 000003
【図２】
2013090117.tif 000004
【図３】
2013090117.tif 000005
【図４】
2013090117.tif 000006
【図５】
2013090117.tif 000007
【図６】
2013090117.tif 000008
【図７】
2013090117.tif 000009
【図８】
2013090117.tif 000010
【図９】
2013090117.tif 000011
【図１０】
2013090117.tif 000012
【図１１】
2013090117.tif 000013